(57)【要約】【課題】異物によるドレンパンの排水口の詰まりを防止できる熱交換ユニット及びヒートポンプユニットを提供する。【解決手段】少なくとも一実施形態に係る熱交換ユニットは、上下方向に沿って設けられたパネル状熱交換器と、前記パネル状熱交換器の下方に設けられ、ドレン口を有するドレンパンと、前記ドレン口に配置され、前記パネル状熱交換器で発生するドレン以外の異物が前記ドレン口に侵入するのを阻止する詰まり防止部材と、を備える。【選択図】図２
2018128231.tif 000002
【特許請求の範囲】
【請求項１】
上下方向に沿って設けられたパネル状熱交換器と、
前記パネル状熱交換器の下方に設けられ、ドレン口を有するドレンパンと、
前記ドレン口に配置され、前記パネル状熱交換器で発生するドレン以外の異物が前記ドレン口に侵入するのを阻止する詰まり防止部材と、
を備えることを特徴とする熱交換ユニット。
【請求項２】
前記詰まり防止部材は、
前記ドレンが通過可能な網目状の基部と、
前記基部に設けられ、前記基部から上方へ突出する複数の針と、
を有することを特徴とする請求項１に記載の熱交換ユニット。
【請求項３】
前記複数の針は、互いに間隔を置いて配置され、かつ同等の高さを有していることを特徴とする請求項２に記載の熱交換ユニット。
【請求項４】
前記詰まり防止部材の前記基部は平坦な底面を有し、前記複数の針は前記底面に対して直交する方向に沿って設けられていることを特徴とする請求項２又は３に記載の熱交換ユニット。
【請求項５】
前記パネル状熱交換器の内部に熱交換媒体流路が形成され、かつ空気が前記パネル状熱交換器の表裏面を通過可能に構成されていることを特徴とする請求項１乃至４の何れか一項に記載の熱交換ユニット。
【請求項６】
前記ドレンパンは前記パネル状熱交換器の長手方向に沿って延在する溝を有し、
前記詰まり防止部材は前記溝内において前記長手方向に沿って延在していることを特徴とする請求項１乃至５の何れか一項に記載の熱交換ユニット。
【請求項７】
前記パネル状熱交換器は、上方から下方へ向けて間隔が狭まるように配置された一対の前記パネル状熱交換器を含み、
前記溝は前記一対のパネル状熱交換器の間の領域に前記一対の前記パネル状熱交換器の長手方向に沿って延在することを特徴とする請求項６に記載の熱交換ユニット。
【請求項８】
前記パネル状熱交換器は、上方から下方へ向けて間隔が狭まるように配置された一対の前記パネル状熱交換器を含み、
前記ドレンパンは、前記一対のパネル状熱交換器の下部及び前記一対のパネル状熱交換器の間の領域に配置されていることを特徴とする請求項１乃至７の何れか一項に記載の熱交換ユニット。
【請求項９】
箱形ケーシングと、
前記箱形ケーシング内の上部領域に設けられ、請求項１乃至８の何れか一項に記載の熱交換ユニットと、
前記箱形ケーシング内の下部領域に設けられ、前記パネル状熱交換器が蒸発器として組み込まれるヒートポンプサイクル構成機器と、
を備えることを特徴とするヒートポンプユニット。
【発明の詳細な説明】
【技術分野】
【０００１】
本開示は、熱交換ユニット及びヒートポンプユニットに関する。
【背景技術】
【０００２】
ヒートポンプサイクルを構成する機器を備える給湯ユニットにおいて、ＣＯ２を冷媒として用い、圧縮機の出口側でＣＯ２を超臨界状態とすることで、９０℃以上の湯を供給できることが知られている。かかる給湯ユニットでは、空気を熱源としてＣＯ２などの冷媒を蒸発させる蒸発器として空気熱交換器が用いられる。
特許文献１には、上下方向に沿って設けられた一対の空気熱交換器を互いに向かい合わせて配置し、一対の空気熱交換器に空気を通過させるファンを一対の空気熱交換器の上方に配置した熱交換ユニットが開示されている。
【先行技術文献】
【特許文献】
【０００３】
【特許文献１】特開２００７−１６３０１７号公報
【発明の概要】
【発明が解決しようとする課題】
【０００４】
上述した特許文献１に記載の熱交換ユニットのように上下方向に沿って設けられた一対の空気熱交換器を互いに向かい合わせて配置した熱交換ユニットでは、一般的に、一対の空気熱交換器で挟まれた領域の上方に空気の流通のための開口が設けられ、該領域の下方に空気熱交換器で結露したドレンを受けるドレンパンが設けられる。この熱交換ユニットを屋外に設置した場合、該開口から例えば落ち葉などの異物が熱交換ユニット内に侵入して、ドレンパンの排水口を詰まらせるおそれがある。
しかし、上述した特許文献１には、異物による排水口の詰まりを防止するための構成については何ら開示されていない。
【０００５】
少なくとも一実施形態は、上記課題に鑑み、異物によるドレンパンの排水口の詰まりを防止できる熱交換ユニット及びヒートポンプユニットを提供することを目的とする。
【課題を解決するための手段】
【０００６】
（１）少なくとも一実施形態に係る熱交換ユニットは、
上下方向に沿って設けられたパネル状熱交換器と、
前記パネル状熱交換器の下方に設けられ、ドレン口を有するドレンパンと、
前記ドレン口に配置され、前記パネル状熱交換器で発生するドレン以外の異物が前記ドレン口に侵入するのを阻止する詰まり防止部材と、
を備える。
【０００７】
上記（１）の構成によれば、パネル状熱交換器で発生するドレン以外の異物がドレン口に侵入するのを阻止する詰まり防止部材がドレン口に配置されているので、異物がドレン口に侵入せず、異物によるドレン口の詰まりを防止できる。
【０００８】
（２）幾つかの実施形態では、上記（１）の構成において、前記詰まり防止部材は、
前記ドレンが通過可能な網目状の基部と、
前記基部に設けられ、前記基部から上方へ突出する複数の針と、
を有する。
上記（２）の構成によれば、ドレンの流れを阻害することなく上方からの異物の侵入を針の上端で阻止できるので、ドレン口の詰まりを防止する効果が高い。また、複数の針が基部に設けられているので、複数の針が一体化されていて、詰まり防止部材の設置が容易である。
【０００９】
（３）幾つかの実施形態では、上記（２）の構成において、前記複数の針は、互いに間隔を置いて配置され、かつ同等の高さを有している。
上記（３）の構成によれば、複数の針は、互いに間隔を置いて配置され、かつ同等の高さを有しているので、上方からの異物の侵入を針の上端で効果的に阻止できる。
【００１０】
（４）幾つかの実施形態では、上記（２）または（３）の構成において、前記詰まり防止部材の前記基部は平坦な底面を有し、前記複数の針は前記底面に対して直交する方向に沿って設けられている。
上記（４）の構成によれば、基部は平坦な底面を有し、複数の針は底面に対して直交する方向に沿って設けられているので、上方からの異物の侵入を針の上端で効果的に阻止できる。また、基部が平坦な底面を有するので、配置された詰まり防止部材が転倒しにくくなり、安定する。また、複数の針が平坦な底面を有する基部に設けられているので、詰まり防止部材の設置が容易である。
【００１１】
（５）幾つかの実施形態では、上記（１）乃至（４）の何れかの構成において、前記パネル状熱交換器の内部に熱交換媒体流路が形成され、かつ空気が前記パネル状熱交換器の表裏面を通過可能に構成されている。
上記（５）の構成によれば、上記構成の熱交換ユニットにおいて、異物がドレン口に侵入せず、異物によるドレン口の詰まりを防止できる。また、パネル状熱交換器の内部に熱交換媒体流路が形成され、かつ空気がパネル状熱交換器の表裏面を通過可能に構成されているので、発生したドレンをドレンパンへ確実に排出できる。
【００１２】
（６）幾つかの実施形態では、上記（１）乃至（５）の何れかの構成において、
前記ドレンパンは前記パネル状熱交換器の長手方向に沿って延在する溝を有し、
前記詰まり防止部材は前記溝内において前記長手方向に沿って延在している。
上記（６）の構成によれば、溝がパネル状熱交換器の長手方向に沿って延在するので、パネル状熱交換器で発生したドレンを効果的に集められる。また、詰まり防止部材が溝内において前記長手方向に沿って延在しているので、ドレンとともに溝内を流れてくる異物を溝内の詰まり防止部材によって効果的に阻止できる。
【００１３】
（７）幾つかの実施形態では、上記（６）の構成において、前記パネル状熱交換器は、上方から下方へ向けて間隔が狭まるように配置された一対の前記パネル状熱交換器を含み、前記溝は前記一対のパネル状熱交換器の間の領域に前記一対の前記パネル状熱交換器の長手方向に沿って延在する。
上記（７）の構成によれば、上記構成の熱交換ユニットにおいて、異物がドレン口に侵入せず、異物によるドレン口の詰まりを防止できる。また、溝が一対のパネル状熱交換器の間の領域にパネル状熱交換器の長手方向に沿って延在するので、パネル状熱交換器で発生したドレンを効果的に集められる。
【００１４】
（８）幾つかの実施形態では、上記（１）乃至（７）の何れかの構成において、
前記パネル状熱交換器は、上方から下方へ向けて間隔が狭まるように配置された一対の前記パネル状熱交換器を含み、
前記ドレンパンは、前記一対のパネル状熱交換器の下部及び前記一対のパネル状熱交換器の間の領域に配置されている。
上記（８）の構成によれば、上記構成の熱交換ユニットにおいて、異物がドレン口に侵入せず、異物によるドレン口の詰まりを防止できる。また、上方から下方へ向けて間隔が狭まるように配置された一対のパネル状熱交換器の下部及び一対のパネル状熱交換器の間の領域にドレンパンが配置されているので、ドレンパンを小型化できる。
【００１５】
（９）少なくとも一実施形態に係るヒートポンプユニットは、
箱形ケーシングと、
前記箱形ケーシング内の上部領域に設けられ、上記（１）乃至（８）の何れかの構成の熱交換ユニットと、
前記箱形ケーシング内の下部領域に設けられ、前記パネル状熱交換器が蒸発器として組み込まれるヒートポンプサイクル構成機器と、
を備える。
【００１６】
上記（９）の構成によれば、パネル状熱交換器で発生するドレン以外の異物がドレン口に侵入するのを阻止する詰まり防止部材がドレン口に配置されているので、異物がドレン口に侵入せず、異物によるドレン口の詰まりを防止できる。
【発明の効果】
【００１７】
少なくとも一実施形態によれば、異物によるドレン口の詰まりを防止できる。
【図面の簡単な説明】
【００１８】
【図１】一実施形態に係るヒートポンプユニットの外観の斜視図であり、（ａ）は一実施形態に係るヒートポンプユニットを前方から見た斜視図であり、（ｂ）は一実施形態に係るヒートポンプユニットを後方から見た斜視図である。
【図２】一実施形態に係るヒートポンプユニットの内部構造を模式的に示す斜視図である。
【図３】一実施形態に係るヒートポンプユニットの全体構成を示す図である。
【図４】ドレンパンの外観を示す斜視図である。
【図５】ドレンパン及びドレン口に設置された一実施形態の防葉柵を示す斜視図である。
【図６】一実施形態の防葉柵２０の斜視図である。
【発明を実施するための形態】
【００１９】
以下、添付図面を参照して本発明の幾つかの実施形態について説明する。ただし、実施形態として記載され又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一つの構成要素を「備える」、「具える」、「具備する」、「含む」、又は「有する」という表現は、他の構成要素の存在を除外する排他的な表現ではない。
【００２０】
図１は、一実施形態に係るヒートポンプユニットの外観の斜視図であり、図１（ａ）は一実施形態に係るヒートポンプユニットを前方から見た斜視図であり、図１（ｂ）は一実施形態に係るヒートポンプユニットを後方から見た斜視図である。図２は、一実施形態に係るヒートポンプユニットの内部構造を模式的に示す斜視図である。
説明の便宜上、ヒートポンプユニットの前後方向及び左右方向を各図に示すように規定する。特に図示はしていないが、ヒートポンプユニットの上下方向は、各図の紙面における上下方向と同じ方向である。なお、ヒートポンプユニットの前面を正面とも呼び、後面を背面とも呼ぶ。
【００２１】
一実施形態に係るヒートポンプユニット５０は、図１に示すように略直方体形状を呈する箱形ケーシング１００と、図２に示すように箱形ケーシング１００の内部に配置されるヒートポンプサイクル構成機器５２とを備える。
箱形ケーシング１００は、略矩形形状のベースプレート５１の上部に設けられている。すなわち、ベースプレート５１の四隅には、４本の支柱１０１が立設されている。箱形ケーシング１００の上面には、後述する空気流出口１１２が設けられ、空気流出口１１２の周囲が天板１０２で覆われている。
【００２２】
箱形ケーシング１００は４つの側面、すなわち、前面（正面）１００ａ、後面（背面）１００ｂ、右側面１００ｃ、及び左側面１００ｄを有する。正面１００ａ及び背面１００ｂには、後述する空気取込み口１１１が形成される。正面１００ａ、背面１００ｂ、右側面１００ｃ、及び左側面１００ｄは、空気取込み口１１１を除いてパネル板で覆われている。
【００２３】
背面１００ｂの下部の領域を覆うパネル板を背面下側パネル板１０３と呼ぶ。背面下側パネル板１０３は、後述するドレンパン１０のメンテナンス等のために容易に着脱できるように取り付けられている。
正面１００ａの右側の領域を覆うパネル板には、開口部１０４が設けられている。開口部１０４は、ヒートポンプユニット５０を操作するための、不図示のタッチパネル式の操作パネルを操作するための開口部である。
【００２４】
図３は、一実施形態に係るヒートポンプユニット５０の全体構成を示す図である。図３に示すように、ヒートポンプサイクル構成機器５２は、圧縮機５６と、ガスクーラ５８と、内部熱交換器６４と、パネル状熱交換器３６とを含む。
圧縮機５６で圧縮された冷媒（例えばＣＯ２）は冷媒循環路５４を介してガスクーラ５８へ供給され、ガスクーラ５８で冷却水路６０を流れる冷却水によって冷却される。冷却水路６０には冷却水をガスクーラ５８に送るポンプ６２が設けられる。ガスクーラ５８で冷却された冷媒は内部熱交換器６４でパネル状熱交換器３６から送られる冷媒と熱交換して冷却された後、膨張弁６６を経て減圧される、その後、冷媒はパネル状熱交換器３６で空気を熱源として気化する。すなわち、パネル状熱交換器３６は、内部に熱交換媒体流路、すなわち冷媒流路が形成され、かつ空気がパネル状熱交換器３６の表裏面を通過可能に構成されており、蒸発器としてヒートポンプサイクル構成機器５２に組み込まれている。
気化した冷媒は、内部熱交換器６４でガスクーラ５８から送られる冷媒と熱交換して加熱された後、再び圧縮機５６に送られて圧縮される。
【００２５】
冷媒循環路５４には、ガスクーラ５８の下流側で冷媒循環路５４から分岐し、膨張弁６６の下流側で冷媒循環路５４に接続されるバイパス路６８が接続されている。バイパス路６８には冷媒タンク７０が設けられ、冷媒タンク７０の上流側及び下流側に電磁弁７２及び７４が設けられている。冷媒循環路５４の冷媒の一部を冷媒タンク７０に貯留し、あるいは冷媒タンク７０に貯留された冷媒を冷媒循環路５４に戻すことで、冷媒循環路５４を流れる冷媒量を調整できる。
一実施形態のヒートポンプユニット５０では、ガスクーラ５８で加熱された温水を熱源として需要先に供給できる。
【００２６】
一実施形態では、図２に示すように、箱形ケーシング１００の内部に上下方向に沿って設けられた一対のパネル状熱交換器３６が互いに向かい合わせて配置されている。そして、一対のパネル状熱交換器３６に空気を通過させるファン３４が一対のパネル状熱交換器３６の上方に配置されている。具体的には、上下方向に沿って設けられた一対のパネル状熱交換器３６は、ベースプレート５１に設置された熱交換器用架台３１によって下方から支持されている。一対のパネル状熱交換器３６のそれぞれの上端には、ファン３４取付用のファン架台３２が取り付けられており、このファン架台３２にファン３４が取り付けられている。ファン３４にはプロペラ型の羽根３４ａが設けられており、ケーシングの開口３４ｂを介して空気が送風される。
【００２７】
箱形ケーシング１００の内部の下部領域には、圧縮機５６、ガスクーラ５８等のヒートポンプサイクル構成機器５２が設けられる。圧縮機５６、ガスクーラ５８、及び冷媒タンク７０等は、ベースプレート５１上に固定されている。
【００２８】
一実施形態では、図１，２に示すように、箱形ケーシング１００の正面１００ａ及び背面１００ｂの上部領域に空気取込み口１１１が形成される。一対のパネル状熱交換器３６は２つの空気取込み口１１１に対面して設けられると共に、一対のパネル状熱交換器３６の間隔が下方に向かうにつれて小さくなるようにＶ字形に配置される。一対のパネル状熱交換器３６のそれぞれは、長手方向がヒートポンプユニット５０の左右方向に沿うように配置される。
箱形ケーシング１００の内部に、正面１００ａ及び背面１００ｂの空気取込み口１１１から流入し、一対のパネル状熱交換器３６を通り抜け、空気流出口１１２に至る空気流ａ（図２参照）が形成される。
【００２９】
一対のパネル状熱交換器３６の下方、すなわち、一対のパネル状熱交換器３６で挟まれた領域の下方には、図４に示すドレンパン１０が設けられている。図４は、ドレンパン１０の外観を示す斜視図である。ドレンパン１０は、一対のパネル状熱交換器３６において空気中の水分が結露することで発生するドレンを集水するための皿状の部材である。ドレンパン１０は、前側の底板１１と、後側の底板１２と、前後の底板１１，１２の間で左右方向、すなわちパネル状熱交換器３６の長手方向に延在する溝１３とを有する。
【００３０】
底板１１，１２は、溝１３に向かって下降する勾配を有する。
溝１３の底面は、右下がりとなる下り勾配を有し、底面の右側端部近傍にドレン排出のためのドレン口１４が設けられている。ドレン口１４には下方に延在する短管１５が接続されており、短管１５の下端に不図示のホースの一端が接続されている。不図示のホースの他端は、背面１００ｂに設けられたドレン排出用ノズルに接続されている。
ドレンパン１０には、ドレン口１４の近傍にメンテナンス用の点検口１６が設けられている。点検口１６は、例えば溝１３の背面側の側面に開口しており、ドレンが漏れないように着脱可能な不図示の蓋で覆われている。
【００３１】
一対のパネル状熱交換器３６で発生したドレンは、ドレンパン１０で集められる。また、例えばヒートポンプユニット５０が屋外に設置されている場合には、空気流出口１１２及びファン３４のケーシングの開口３４ｂを介して箱形ケーシング１００の内部、すなわち一対のパネル状熱交換器３６で挟まれた領域に雨水が侵入する。この侵入した雨水もドレンパン１０で集められる。すなわち、一対のパネル状熱交換器３６で発生したドレン及びヒートポンプユニット５０内に侵入した雨水は、ドレンパン１０の底板１１，１２に流下して溝１３に流入する。溝１３に流入したドレンや雨水は、溝１３内を溝１３の右側端部側のドレン口１４に向かって流れ、ドレン口１４から短管１５及び不図示のホースを介して背面１００ｂのドレン排出用ノズルからヒートポンプユニット５０の外部に排出される。
【００３２】
一実施形態のヒートポンプユニット５０では、一対のパネル状熱交換器３６で挟まれた領域の上方に空気流出口１１２及びファン３４のケーシングの開口３４ｂが設けられているため、ヒートポンプユニット５０の外部の異物（以下、単に異物と呼ぶ）が空気流出口１１２及び開口３４ｂを介して箱形ケーシング１００の内部に侵入するおそれがある。例えば、ヒートポンプユニット５０が屋外に設定されている場合には、異物が空気流出口１１２及び開口３４ｂを介して箱形ケーシング１００の内部に侵入するおそれが高くなる。箱形ケーシング１００の内部に侵入する異物としては、例えば樹木の葉などが挙げられる。
箱形ケーシング１００の内部に侵入した異物は、ドレン口１４の上に直接落下したり、底板１１，１２や溝１３をドレンとともに流下することでドレン口１４に到達する。ドレン口１４に到達した異物は、ドレン口１４を覆ったり、短管１５や不図示のホースに流れ込んでこれらの内部で詰まったりすることでドレンの排出を阻害するおそれがある。
【００３３】
そこで、一実施形態のヒートポンプユニット５０には、異物がドレン口１４に侵入するのを阻止する詰まり防止部材として、図５に示すように、防葉柵２０がドレン口１４に配置されている。
図５は、ドレンパン１０及びドレン口１４に設置された一実施形態の防葉柵２０を示す斜視図であり、図６は、一実施形態の防葉柵２０の斜視図である。
【００３４】
すなわち、一実施形態の熱交換ユニット３０は、上下方向に沿って設けられたパネル状熱交換器３６と、パネル状熱交換器３６の下方に設けられ、ドレン口１４を有するドレンパン１０と、ドレン口１４に配置され、パネル状熱交換器３６で発生するドレン以外の異物がドレン口１４に侵入するのを阻止する詰まり防止部材である防葉柵２０とを備える。一実施形態の熱交換ユニット３０は、箱形ケーシング１００内の上部領域に設けられている。
一実施形態の熱交換ユニット３０では、パネル状熱交換器３６で発生するドレン以外の異物がドレン口１４に侵入するのを阻止する防葉柵２０がドレン口１４に配置されているので、異物がドレン口１４に侵入せず、異物によるドレン口１４の詰まりを防止できる。
【００３５】
以下、図５及び図６を参照して、一実施形態の防葉柵２０について説明する。
図６に示すように、一実施形態の防葉柵２０は、ドレンが通過可能な網目状の基部２１と、基部２１に設けられ、基部２１から上方へ突出する複数の針２２とを有する。一実施形態の防葉柵２０では、基部２１は平坦な底面２１ａを有し、複数の針２２は底面２１ａに対して直交する方向に沿って設けられている。一実施形態の防葉柵２０では、複数の針２２は、互いに間隔を置いて配置され、かつ同等の高さを有している。
【００３６】
図５に示すように、一実施形態の防葉柵２０は、溝１３の底面に載置され、ドレン口１４を覆う。一実施形態の防葉柵２０は、前後方向の寸法が溝１３の幅、すなわち、溝１３の前後方向の寸法と略等しい。これにより、防葉柵２０の溝１３の幅方向への移動や前後方向への転倒が溝１３の前側及び後側の側面で規制されるので、防葉柵２０を安定して設置でき、基部２１がドレン口１４を確実に覆い、異物のドレン口１４への侵入を阻止できる。
また、一実施形態の防葉柵２０の左右方向の寸法は、防葉柵２０の右端が溝１３の右側（下流側）の側壁に当接した状態で、防葉柵２０の左端がドレン口１４の左端よりも左側に位置するように設定されている。これにより、ドレンの流れによって防葉柵２０が溝１３の下流側に移動しても基部２１がドレン口１４を確実に覆うので、異物のドレン口１４への侵入を阻止できる。
なお、防葉柵２０の左右方向の寸法、すなわち溝１３の長手方向に沿った寸法は、溝１３内において左右方向に転倒しないように、防葉柵２０の重心位置を考慮して設定することが望ましい。
【００３７】
一実施形態の防葉柵２０では、上方からの異物は複数の針２２の上端で阻止され、ドレンとともに溝１３を流れてくる異物は左側、すなわち溝１３の上流側で前後方向に並んでいる複数の針２２の側面で阻止される。なお、一実施形態の防葉柵２０では、針２２の上端で阻止されずに落下した異物は、網目状の基部２１で阻止される。また一実施形態の防葉柵２０では、溝１３の上流側に並んでいる針２２の間を通過した異物は、それらの針２２よりも下流側の針２２の側面や、網目状の基部２１で阻止される。
一実施形態の防葉柵２０では、針２２と針２２との間は離間しており、基部２１も網目状なので、ドレンは防葉柵２０に阻害されずにドレン口１４へ流れる。
【００３８】
一実施形態では、防葉柵２０の上部や側面に溜まった異物を次のようにして取り除くことができる。まず、図１（ｂ）に示したヒートポンプユニット５０の背面下側パネル板１０３を取り外す。これにより、ヒートポンプユニット５０の背面１００ｂからドレンパン１０の溝１３の背面側に設けられた点検口１６にアクセスできる。次いで、点検口１６を覆う不図示の蓋を外すことで点検口１６を開放でき、堆積した異物を取り除いたり、防葉柵２０を取り外したりすることができる。
【００３９】
なお、防葉柵２０として、市販のハト避け用の部材を用いてもよい。これにより、防葉柵２０を安価に入手できる。
【００４０】
上述したように、一実施形態では、防葉柵２０は、ドレンが通過可能な網目状の基部２１と、基部２１に設けられ、基部２１から上方へ突出する複数の針２２とを有する。
これにより、ドレンの流れを阻害することなく上方からの異物の侵入を針２２の上端で阻止できるので、ドレン口１４の詰まりを防止する効果が高い。また、複数の針２２が基部２１に設けられているので、複数の針２２が一体化されていて、防葉柵２０の設置が容易である。
【００４１】
上述した一実施形態では、複数の針２２は、互いに間隔を置いて配置され、かつ同等の高さを有している。
これにより、上方からの異物の侵入を針２２の上端で効果的に阻止できる。
【００４２】
上述した一実施形態では、防葉柵２０の基部２１は平坦な底面２１ａを有し、複数の針２２は底面２１ａに対して直交する方向に沿って設けられている。
これにより、上方からの異物の侵入を針２２の上端で効果的に阻止できる。また、基部２１が平坦な底面２１ａを有するので、配置された防葉柵２０が転倒しにくくなり、安定する。また、複数の針２２が平坦な底面２１ａを有する基部２１に設けられているので、防葉柵２０の設置が容易である。
【００４３】
上述した一実施形態では、パネル状熱交換器３６の内部に冷媒流路が形成され、かつ空気がパネル状熱交換器３６の表裏面を通過可能に構成されている。
これにより、一実施形態の熱交換ユニット３０において、異物がドレン口１４に侵入せず、異物によるドレン口１４の詰まりを防止できる。また、上述したようにパネル状熱交換器３６の内部に冷媒流路が形成され、かつ空気がパネル状熱交換器の表裏面を通過可能に構成されているので、発生したドレンをドレンパン１０へ確実に排出できる。
【００４４】
上述した一実施形態では、ドレンパン１０は、パネル状熱交換器３６の長手方向に沿って延在する溝１３を有する。防葉柵２０は、溝１３内においてパネル状熱交換器３６の長手方向に沿って延在している。
溝１３がパネル状熱交換器３６の長手方向に沿って延在するので、パネル状熱交換器３６で発生したドレンを効果的に集められる。また、防葉柵２０が溝１３内においてパネル状熱交換器３６の長手方向に沿って延在しているので、ドレンとともに溝１３内を流れてくる異物を溝１３内の防葉柵２０によって効果的に阻止できる。
【００４５】
上述した一実施形態では、パネル状熱交換器３６は、上方から下方へ向けて間隔が狭まるように配置された一対のパネル状熱交換器３６を含む。ドレンパン１０は、一対のパネル状熱交換器３６の下部及び一対のパネル状熱交換器３６の間の領域に配置されている。
これにより、一実施形態の熱交換ユニット３０において、異物がドレン口１４に侵入せず、異物によるドレン口１４の詰まりを防止できる。また、上方から下方へ向けて間隔が狭まるように配置された一対のパネル状熱交換器３６の下部及び一対のパネル状熱交換器３６の間の領域にドレンパン１０が配置されているので、ドレンパン１０を小型化できる。
【００４６】
上述した一実施形態では、溝１３は一対のパネル状熱交換器３６の間の領域に一対のパネル状熱交換器３６の長手方向に沿って延在する。
これにより、一実施形態の熱交換ユニット３０において、異物がドレン口１４に侵入せず、異物によるドレン口１４の詰まりを防止できる。また、溝１３が一対のパネル状熱交換器３６の間の領域にパネル状熱交換器３６の長手方向に沿って延在するので、パネル状熱交換器３６で発生したドレンを効果的に集められる。
【００４７】
一実施形態に係るヒートポンプユニット５０は、箱形ケーシング１００と、箱形ケーシング１００内の上部領域に設けられた上記の熱交換ユニット３０と、箱形ケーシング１００内の下部領域に設けられ、パネル状熱交換器３６が蒸発器として組み込まれるヒートポンプサイクル構成機器５２とを備える。
【００４８】
一実施形態に係るヒートポンプユニット５０では、パネル状熱交換器３６で発生するドレン以外の異物がドレン口１４に侵入するのを阻止する防葉柵２０がドレン口１４に配置されているので、異物がドレン口１４に侵入せず、異物によるドレン口１４の詰まりを防止できる。また、防葉柵２０がドレン口１４への異物の侵入を防止するので、異物が短管１５や不図示のホースに流れ込んでこれらの内部で詰まるのを防止できる。これにより、異物によるドレンの排出が阻害されることを防止できるとともに、異物を除去する等のメンテナンスの頻度を減らすことができ、メンテナンスコストを削減できる。
【００４９】
以上、本発明の実施形態について説明したが、本発明は上記の形態に限定されるものではなく、本発明の目的を逸脱しない範囲で種々の変更が可能である。
【００５０】
上述した一実施形態では、図６に示すように、防葉柵２０が複数の針２２を有している。しかし、例えば、針２２の上端は、尖っていなくてもよい。すなわち、防葉柵２０が、上端が尖っている針２２に代えて、上端が尖っていない複数の棒状の部位を有していてもよい。
【００５１】
上述した一実施形態では、図６に示すように、防葉柵２０が複数の針２２が前後方向及び左右方向に沿って直線状に並んでいる。しかし、複数の針２２は必ずしも前後方向及び左右方向に沿って直線状に並んでいる必要はなく、複数の針２２のそれぞれの上端が適宜前後方向および左右方向に互いに離間するように、複数の針２２が配置されていればよく、その間隔も必ずしも等間隔である必要はない。また、上述した一実施形態では、図６に示すように、複数の針２２の上端の高さが略等しかったが、複数の針２２の上端の高さは、それぞれ異なっていてもよい。
【００５２】
上述した一実施形態では、図６に示すように、針２２は、基部２１における前後方向に延在する部位と左右方向に延在する部位との交差部に配置されている。しかし、針２２は、基部２１における該交差部以外の部位に配置されていてもよい。
【００５３】
上述した一実施形態では、図６に示すように、防葉柵２０が網目状の基部２１と、基部２１から上方へ突出する複数の針２２とを有している。しかし、例えば、防葉柵２０の上面、すなわち複数の針２２の上端側がそれぞれ隣接する針２２の上端側と互いに接続されて、網目状の基部２１と同様の形状を呈していてもよい。また、例えば、一実施形態の防葉柵２０に代えて、少なくとも上面と底面と左側（上流側）の側面とが網目状に形成されていて、ドレンの流通を妨げないように形成された直方体形状を呈する部材を詰まり防止部材としてもよい。
【００５４】
上述した一実施形態では、図６に示すように、防葉柵２０の基部２１は平坦な底面２１ａを有し、複数の針２２は底面２１ａに対して直交する方向に沿って設けられている。しかし、例えば、底面２１ａが段差を有していてもよく、底面２１ａが湾曲していてもよい。また、針２２は、必ずしも底面２１ａに対して直交する方向に沿って設けられてなくてもよく、例えば、斜め上方に向かって延在していてもよいし、曲部を有していてもよい。
【００５５】
上述した一実施形態では、ドレンパン１０がパネル状熱交換器３６の長手方向に沿って延在する溝１３を有していた。しかし、溝１３は、パネル状熱交換器３６の長手方向とは異なる方向に沿って延在していてもよい。また、上述した一実施形態では、防葉柵２０は溝１３内においてパネル状熱交換器３６の長手方向に沿って延在していた。しかし、例えば、溝１３がパネル状熱交換器３６の長手方向とは異なる方向に沿って延在していれば、防葉柵２０は、溝１３内においてパネル状熱交換器３６の長手方向ではなく、溝１３の延在方向に沿って延在していてもよい。
【００５６】
上述した一実施形態では、一対のパネル状熱交換器３６は、一対のパネル状熱交換器３６の間隔が下方に向かうにつれて小さくなるようにＶ字形に配置されている。しかし、一対のパネル状熱交換器３６は、例えば一対のパネル状熱交換器３６の間隔が上方と下方とで等しくなるように配置されていてもよく、下方に向かうにつれて大きくなるように逆Ｖ字形に配置されていてもよい。
【００５７】
例えば、上述の実施形態では、ヒートポンプサイクルを構成する機器を備えるヒートポンプユニット５０について説明したが、ヒートポンプユニット５０について上述した内容は、冷凍サイクルを構成する機器を備える冷凍ユニットに適用可能である。
【符号の説明】
【００５８】
１０    ドレンパン
１１，１２  底板
１３    溝
１４    ドレン口
１５    短管
１６    点検口
２０    防葉柵
２１    基部
２１ａ  底面
２２    針
３０    熱交換ユニット
３１    熱交換器用架台
３２    ファン架台
３４    ファン
３４ａ  羽根
３４ｂ  開口
３６    パネル状熱交換器
５０    ヒートポンプユニット
５１    ベースプレート
５２    ヒートポンプサイクル構成機器
５４    冷媒循環路
５６    圧縮機
５８    ガスクーラ
６０    冷却水路
６２    ポンプ
６４    内部熱交換器
６６    膨張弁
７０    冷媒タンク
１００    箱形ケーシング
１００ａ  前面（正面）
１００ｂ  後面（背面）
１０３    背面下側パネル板
１１１    空気取込み口
１１２    空気流出口
ａ    空気流
【図１】
2018128231.tif 000003
【図２】
2018128231.tif 000004
【図３】
2018128231.tif 000005
【図４】
2018128231.tif 000006
【図５】
2018128231.tif 000007
【図６】
2018128231.tif 000008